Podtech/llm-jp-corpus-v4-ja_patent huggingface dataset:
【手続補正書】
【提出日】平成26年4月15日(2014.4.15)
【手続補正１】
【補正対象書類名】特許請求の範囲
【補正対象項目名】全文
【補正方法】変更
【補正の内容】
【特許請求の範囲】
【請求項１】
被験体の肺癌の処置のための薬物の製造における、以下の構造を有する治療上効果的な量のシクロヘキセノン化合物、或いはその薬学的に許容可能な塩、代謝物質、溶媒和物、又はプロドラッグの使用であって、
【化１】
2014504256.tif 000001
ここで、Ｘ及びＹの各々は、独立して、酸素、ＮＲ５、又は硫黄であり；
Ｒは、水素又はＣ（＝Ｏ）Ｃ１−Ｃ８アルキルであり；
Ｒ１、Ｒ２、及びＲ３の各々は、独立して、水素、メチル、又は（ＣＨ２）ｍ−ＣＨ３であり；
Ｒ４は、ＮＲ５Ｒ６、ＯＲ５、ＯＣ（＝Ｏ）Ｒ７、Ｃ（＝Ｏ）ＯＲ５、Ｃ（＝Ｏ）Ｒ５、Ｃ（＝Ｏ）ＮＲ５Ｒ６、ハロゲン、５員環又は６員環のラクトン、Ｃ１−Ｃ８アルキル、Ｃ２−Ｃ８アルケニル、Ｃ２−Ｃ８アルキニル、アリール、グルコシルであり、ここで、５員環又は６員環のラクトン、Ｃ１−Ｃ８アルキル、Ｃ２−Ｃ８アルケニル、Ｃ２−Ｃ８アルキニル、アリール、及びグルコシルは、ＮＲ５Ｒ６、ＯＲ５、ＯＣ（＝Ｏ）Ｒ７、Ｃ（＝Ｏ）ＯＲ５、Ｃ（＝Ｏ）Ｒ５、Ｃ（＝Ｏ）ＮＲ５Ｒ６、Ｃ１−Ｃ８アルキル、Ｃ２−Ｃ８アルケニル、Ｃ２−Ｃ８アルキニル、Ｃ３−Ｃ８シクロアルキル、及びＣ１−Ｃ８ハロアルキルから選択された１以上の置換基で随意に置換され；
Ｒ５及びＲ６の各々は、独立して、水素又はＣ１−Ｃ８アルキルであり；
Ｒ７は、Ｃ１−Ｃ８アルキル、ＯＲ５、又はＮＲ５Ｒ６であり；
ｍ＝１−１２であり；及び
ｎ＝１−１２であることを特徴とする、使用。
【請求項２】
前記薬物は肺癌腫瘍の大きさ又は腫瘍容積を減少させることを特徴とする、請求項１に記載の使用。
【請求項３】
前記薬物は肺癌腫瘍成長速度を低下させることを特徴とする、請求項１に記載の使用。
【請求項４】
前記肺癌は肺腺癌であることを特徴とする、請求項１に記載の使用。
【請求項５】
前記肺癌は小細胞肺癌であることを特徴とする、請求項１に記載の使用。
【請求項６】
前記肺癌は非小細胞肺癌であることを特徴とする、請求項１に記載の使用。
【請求項７】
前記シクロヘキセノン化合物は前記肺癌の細胞死を誘発することを特徴とする、請求項１に記載の使用。
【請求項８】
前記細胞死はアポトーシスであることを特徴とする、請求項７に記載の使用。
【請求項９】
薬物は非経口または静脈内に投与されることを特徴とする、請求項１に記載の使用。
【請求項１０】
薬物は注入によって投与されることを特徴とする、請求項１に記載の使用。
【請求項１１】
薬物は経口で投与されることを特徴とする、請求項１に記載の使用。
【請求項１２】
前記被験体はヒトであることを特徴とする、請求項１に記載の使用。
【請求項１３】
Ｒは、水素又はＣ（＝Ｏ）ＣＨ３であることを特徴とする、請求項１に記載の使用。
【請求項１４】
Ｒ１は、水素又はメチルであることを特徴とする、請求項１に記載の使用。
【請求項１５】
Ｒ２は、水素又はメチルであることを特徴とする、請求項１に記載の使用。
【請求項１６】
Ｒ４は、ＣＨ２ＣＨ＝Ｃ（ＣＨ３）２であることを特徴とする、請求項１に記載の使用。
【請求項１７】
前記化合物は以下の通りであることを特徴とする、請求項１に記載の使用。
【化２】
2014504256.tif 000002
【請求項１８】
被験体の肺の細胞増殖性障害を処置又は予防するための薬物の製造における、以下の構造を有する治療上有効な量のシクロヘキセノン化合物、或いはその薬学的に許容可能な塩、代謝物質、溶媒和物、又はプロドラッグの使用であって、
【化３】
2014504256.tif 000003
ここで、Ｘ及びＹの各々は、独立して、酸素、ＮＲ５、又は硫黄であり、
Ｒは、水素又はＣ（＝Ｏ）Ｃ１−Ｃ８アルキルであり、
Ｒ１、Ｒ２、及びＲ３の各々は、独立して、水素、メチル、又は（ＣＨ２）ｍ−ＣＨ３であり、
Ｒ４は、ＮＲ５Ｒ６、ＯＲ５、ＯＣ（＝Ｏ）Ｒ７、Ｃ（＝Ｏ）ＯＲ５、Ｃ（＝Ｏ）Ｒ５、Ｃ（＝Ｏ）ＮＲ５Ｒ６、ハロゲン、５員環又は６員環のラクトン、Ｃ１−Ｃ８アルキル、Ｃ２−Ｃ８アルケニル、Ｃ２−Ｃ８アルキニル、アリール、グルコシルであり、ここで、５員環又は６員環のラクトン、Ｃ１−Ｃ８アルキル、Ｃ２−Ｃ８アルケニル、Ｃ２−Ｃ８アルキニル、アリール、及びグルコシルは、ＮＲ５Ｒ６、ＯＲ５、ＯＣ（＝Ｏ）Ｒ７、Ｃ（＝Ｏ）ＯＲ５、Ｃ（＝Ｏ）Ｒ５、Ｃ（＝Ｏ）ＮＲ５Ｒ６、Ｃ１−Ｃ８アルキル、Ｃ２−Ｃ８アルケニル、Ｃ２−Ｃ８アルキニル、Ｃ３−Ｃ８シクロアルキル、及びＣ１−Ｃ８ハロアルキルから選択された１以上の置換基により随意に置換され、
Ｒ５及びＲ６の各々は、独立して、水素又はＣ１−Ｃ８アルキルであり、
Ｒ７は、Ｃ１−Ｃ８アルキル、ＯＲ５、又はＮＲ５Ｒ６であり、
ｍ＝１−１２であり、及び
ｎ＝１−１２であり、
前記細胞増殖性障害が処置又は予防されることを特徴とする、使用。
【請求項１９】
肺の前記細胞増殖性障害が肺癌又は肺の前癌状態であることを特徴とする、請求項１８に記載の使用。
【請求項２０】
肺の前記細胞増殖性障害が肺の過形成又は肺の異形成であることを特徴とする、請求項１８に記載の使用。
【請求項２１】
肺癌細胞を阻害するための薬物の製造における、以下の構造を有する治療上有効な量のシクロヘキセノン化合物、或いはその薬学的に許容可能な塩、代謝物質、溶媒和物、又はプロドラッグの使用であって、
【化４】
2014504256.tif 000004
ここで、Ｘ及びＹの各々は、独立して、酸素、ＮＲ５、又は硫黄であり、
Ｒは、水素又はＣ（＝Ｏ）Ｃ１−Ｃ８アルキルであり、
Ｒ１、Ｒ２、及びＲ３の各々は、独立して、水素、メチル、又は（ＣＨ２）ｍ−ＣＨ３であり、
Ｒ４は、ＮＲ５Ｒ６、ＯＲ５、ＯＣ（＝Ｏ）Ｒ７、Ｃ（＝Ｏ）ＯＲ５、Ｃ（＝Ｏ）Ｒ５、Ｃ（＝Ｏ）ＮＲ５Ｒ６、ハロゲン、５員環又は６員環のラクトン、Ｃ１−Ｃ８アルキル、Ｃ２−Ｃ８アルケニル、Ｃ２−Ｃ８アルキニル、アリール、グルコシル、であり、ここで、５員環又は６員環のラクトン、Ｃ１−Ｃ８アルキル、Ｃ２−Ｃ８アルケニル、Ｃ２−Ｃ８アルキニル、アリール、及びグルコシルは、ＮＲ５Ｒ６、ＯＲ５、ＯＣ（＝Ｏ）Ｒ７、Ｃ（＝Ｏ）ＯＲ５、Ｃ（＝Ｏ）Ｒ５、Ｃ（＝Ｏ）ＮＲ５Ｒ６、Ｃ１−Ｃ８アルキル、Ｃ２−Ｃ８アルケニル、Ｃ２−Ｃ８アルキニル、Ｃ３−Ｃ８シクロアルキル、及びＣ１−Ｃ８ハロアルキルから選択された１以上の置換基で随意に置換され、
Ｒ５及びＲ６の各々は、独立して、水素又はＣ１−Ｃ８アルキルであり、
Ｒ７は、Ｃ１−Ｃ８アルキル、ＯＲ５、又はＮＲ５Ｒ６であり、
ｍ＝１−１２であり、及び
ｎ＝１−１２であることを特徴とする、使用。
【請求項２２】
前記肺癌細胞は、肺非小細胞癌細胞、肺小細胞癌細胞、又は肺腺癌の癌細胞を含むことを特徴とする、請求項２１に記載の使用。
【請求項２３】
前記肺癌細胞は、ヒト肺癌細胞であることを特徴とする、請求項２１に記載の使用。
【請求項２４】
前記シクロへキセノン化合物が、前記肺癌細胞の移動を予防又は阻害することを特徴とする、請求項２１に記載の使用。
【請求項２５】
前記シクロへキセノン化合物が、前記肺癌細胞の侵襲を予防又は阻害することを特徴とする、請求項２１に記載の使用。
【手続補正書】
【提出日】平成26年11月7日(2014.11.7)
【手続補正１】
【補正対象書類名】特許請求の範囲
【補正対象項目名】請求項７
【補正方法】変更
【補正の内容】
【請求項７】
架橋した対Ｒ１およびＲ２、Ｒ２およびＲ３、Ｒ３およびＲ４、Ｒ５およびＲ６、Ｒ６およびＲ７、Ｒ７およびＲ８によって形成した前記環が、５〜２５個の環原子を有し、単環式もしくは多環式であり、かつまた互いに単結合によって結合しているか、または２つもしくは３つ以上の縮合環を含む、２つまたは３つ以上の個々の環を含んでいてもよく、かつここで各環が、非置換であるか、または請求項１において定義した１つもしくは２つ以上の基Ｌで置換されている、芳香族およびヘテロ芳香族基からなる群から選択されることを特徴とする、請求項１〜６のいずれか一項に記載の化合物。
【手続補正２】
【補正対象書類名】明細書
【補正対象項目名】００３８
【補正方法】変更
【補正の内容】
【００３８】
好ましくは、架橋した対Ｒ１およびＲ２、Ｒ２およびＲ３、Ｒ３およびＲ４、Ｒ５およびＲ６、Ｒ６およびＲ７、Ｒ７およびＲ８によって形成した前記Ｃ４〜Ｃ４０飽和または不飽和環は、５〜２５個の環原子を有し、単環式もしくは多環式であり、すなわちまた互いに単結合によって結合しているか、または２つもしくは３つ以上の縮合環を含む、２つまたは３つ以上の個々の環を含んでいてもよい、芳香族およびヘテロ芳香族基からなる群から選択され、かつここで各環は、非置換であるか、または上に定義した１つもしくは２つ以上の基Ｌで置換されている。
【手続補正書】
【提出日】平成26年11月4日(2014.11.4)
【手続補正１】
【補正対象書類名】特許請求の範囲
【補正対象項目名】全文
【補正方法】変更
【補正の内容】
【特許請求の範囲】
【請求項１】
ヘテロ二量体Ｆｃ領域を含む単離ヘテロ多量体であって、ヘテロ二量体Ｆｃ領域が、安定性が増大したヘテロ二量体形成を促進するアミノ酸突然変異を含む変異体ＣＨ３ドメインを含み、ヘテロ二量体Ｆｃ領域が、９０％を超える純度を有し、変異体ＣＨ３ドメインが、７０℃以上の融解温度（Ｔｍ）を有し、そして
該ヘテロ二量体Ｆｃ領域が、
ａ）野生型Ｆｃ領域に比べてＣＨ３ドメイン中にさらなるジスルフィド結合を含まない；又は
ｂ）７０℃以上の融解温度（Ｔｍ）がさらなるジスルフィド結合の非存在下におけるものであることを条件として、野生型Ｆｃ領域に比べて変異体ＣＨ３ドメイン中にさらなるジスルフィド結合を含む；
上記単離ヘテロ多量体。
【請求項２】
ヘテロ二量体Ｆｃ領域が、野生型Ｆｃ領域に比べて、変異体ＣＨ３ドメイン中にさらなるジスルフィド結合を含み、変異体ＣＨ３ドメインが、７７．５℃以上の融解温度（Ｔｍ）を有する、請求項１に記載の単離ヘテロ多量体。
【請求項３】
ヘテロ二量体Ｆｃ領域が、９５％以上の純度を有し；より好ましくは、９８％以上の純度を有する、請求項１に記載の単離ヘテロ多量体。
【請求項４】
Ｔｍが、７１℃以上；より好ましくは、７４℃以上である、請求項１に記載の単離ヘテロ多量体。
【請求項５】
ヘテロ二量体Ｆｃ領域が、９０％以上の純度を有し、Ｔｍが、７５℃である、請求項１に記載のヘテロ多量体。
【請求項６】
第１のＣＨ３ドメインポリペプチドが、アミノ酸改変Ｌ３５１Ｙ及びＹ４０７Ａを含み、第２のＣＨ３ドメインポリペプチドが、アミノ酸改変Ｋ４０９Ｆ及び、Ｔ３６６Ａ、Ｔ３６６Ｖ、Ｔ３６６ＩならびにＴ３６６Ｌのうちの少なくとも１つを含む、請求項１に記載の単離ヘテロ多量体。
【請求項７】
第１のＣＨ３ドメインポリペプチド又は第２のＣＨ３ドメインポリペプチドが、Ｔ４１１、Ｄ３９９、Ｓ４００、Ｆ４０５、Ｎ３９０、又はＫ３９２位の１以上にすくなくとも１つのさらなるアミノ酸改変を含む、請求項６に記載の単離ヘテロ多量体。
【請求項８】
第１のＣＨ３ドメインポリペプチドがさらにＤ３９９Ｒ又はＤ３９９Ｗのアミノ酸改変並びにＳ４００Ｒ及びＳ４００Ｋのうちの１つのアミノ酸改変を含み、
第２のＣＨ３ドメインポリペプチドがさらにＫ５９２Ｅ又はＫ３９２Ｌのアミノ酸改変並びにＴ４１１Ｅ及びＴ４１１Ｄのうちの１つのアミノ酸改変を含む、
請求項６に記載の単離ヘテロ多量体。
【請求項９】
第１のＣＨ３ドメインポリペプチドがさらにＤ３９９Ｒ又はＤ３９９Ｗのアミノ酸改変を含み、
第２のＣＨ３ドメインポリペプチドがさらにＫ３９２Ｌのアミノ酸改変；又はＫ３９２Ｌと、Ｔ４１１ＥとＴ４１１Ｄのうちの１つのアミノ酸改変を含む、
請求項６に記載の単離ヘテロ多量体。
【請求項１０】
第１のＣＨ３ドメインポリペプチドがＦ４０５Ａ及びＹ４０７Ｖのアミノ酸改変を含み、
第２のＣＨ３ドメインポリペプチドがＴ３６６Ｌ及びＴ３９４Ｗのアミノ酸改変を含む、
請求項１に記載の単離ヘテロ多量体。
【請求項１１】
第２のＣＨ３ドメインポリペプチドがさらにＫ３９２Ｍのアミノ酸改変を含む、請求項１０に記載の単離ヘテロ多量体。
【請求項１２】
第１のＣＨ３ドメインポリペプチドが、アミノ酸改変Ｌ３５１Ｙ、Ｆ４０５Ａ及びＹ４０７Ｖを含み、第２のＣＨ３ドメインポリペプチドが、アミノ酸改変Ｔ３９４Ｗ、ならびにＴ３６６Ｌ及びＴ３６６Ｉのうちの１つを含む、請求項１に記載の単離ヘテロ多量体。
【請求項１３】
第２のＣＨ３ドメインポリペプチドがさらにＫ３９２Ｍ又はＫ３９２Ｌのアミノ酸改変を含む、請求項１２に記載の単離ヘテロ多量体。
【請求項１４】
第１のＣＨ３ドメインポリペプチド又は第２のＣＨ３ドメインポリペプチドが、Ｓ４００、Ｑ３４７、Ｋ３６０及びＮ３９０位のうちの１つにおいて、さらにアミノ酸改変を含む、請求項１３に記載の単離ヘテロ多量体。
【請求項１５】
Ｓ４００位のアミノ酸改変が、Ｓ４００Ｅ、Ｓ４００Ｄ、Ｓ４００Ｒ、又はＳ４００Ｋである、請求項１４に記載の単離ヘテロ多量体。
【請求項１６】
Ｎ３９０位のアミノ酸改変が、Ｎ３９０Ｒ、Ｎ３９０Ｋ、又はＮ３９０Ｄから選択される、請求項１５に記載の単離ヘテロ多量体。
【請求項１７】
前記第１のＣＨ３ドメインポリペプチドが、アミノ酸改変Ｓ４００Ｅ及びＱ３４７Ｒのうちのすくなくとも１つを含み、前記第２のＣＨ３ドメインポリペプチドが、アミノ酸改変Ｎ３９０Ｒ及びＫ３６０Ｅのうちのすくなくとも１つを含む、請求項１３に記載の単離ヘテロ多量体。
【請求項１８】
前記第１のＣＨ３ドメインポリペプチドが、アミノ酸改変Ｌ３５１Ｙ，Ｆ４０５Ａ及びＹ４０７Ｖを含み、前記第２のＣＨ３ドメインポリペプチドが、アミノ酸改変Ｔ３６６Ｌ，Ｋ３９２Ｍ及びＴ３９４Ｗを含む、請求項１に記載の単離ヘテロ多量体。
【請求項１９】
前記第１のＣＨ３ドメインポリペプチドが、アミノ酸改変Ｌ３５１Ｙ，Ｆ４０５Ａ及びＹ４０７Ｖを含み、前記第２のＣＨ３ドメインポリペプチドが、アミノ酸改変Ｔ３６６Ｌ，Ｋ３９２Ｌ及びＴ３９４Ｗを含む、請求項１に記載の単離ヘテロ多量体。
【請求項２０】
請求項１〜１９のいずれか一項に記載の単離ヘテロ多量体を発現する方法であって、前記第１及び第２のＣＨ３ドメインポリペプチドが単一の細胞から共発現している、方法。
【請求項２１】
請求項１〜１９のいずれか一項に記載の単離ヘテロ多量体を発現する方法であって、
ａ）請求項１〜１９のいずれか一項に記載の単離ヘテロ多量体をコードする１又は複数のポリヌクレオチドで、少なくとも１つの哺乳動物細胞をトランスフェクトして、少なくとも１つの一過性もしくは安定的にトランスフェクトされた細胞を作製し；そして
ｂ）単離ヘテロ多量体の発現に適した条件下で該一過性もしくは安定的にトランスフェクトされた細胞を培養する
ことを含む、上記方法。
【請求項２２】
請求項１〜１９のいずれか一項に記載の単離ヘテロ多量体をコードする１又は複数のポリヌクレオチド。
【請求項２３】
請求項１〜１９のいずれか一項に記載の単離ヘテロ多量体をコードするポリヌクレオチドを含む１又は複数の発現ベクター。
【請求項２４】
請求項１〜１９のいずれか一項に記載の単離ヘテロ多量体をコードするポリヌクレオチドを含むマルチ−シストロン発現ベクター。
【請求項２５】
請求項２３に記載の１又は複数の発現ベクターあるいは請求項２４に記載の発現ベクターを含む宿主細胞。
【請求項２６】
請求項１〜１９のいずれか一項に記載の単離ヘテロ多量体を発現する宿主細胞。
【請求項２７】
請求項１〜１９のいずれか一項に記載の単離ヘテロ多量体と、希釈剤又は担体を含む組成物。
【手続補正書】
【提出日】平成26年5月23日(2014.5.23)
【手続補正１】
【補正対象書類名】特許請求の範囲
【補正対象項目名】全文
【補正方法】変更
【補正の内容】
【特許請求の範囲】
【請求項１】
がん細胞に結合する１つ又は複数のタグ付きタンパク質の配合物と同時に又は別々に被験体に投与される、
前記タグ付きタンパク質に結合し、がん細胞死を誘導する１つ又は複数の治療的に有効な抗タグキメラ抗原受容体（ＡＴ−ＣＡＲ）発現Ｔ細胞集団
を含む、抗がん剤。
【請求項２】
がん細胞に結合する少なくとも２つのタグ付きタンパク質の配合物と同時に又は別々に被験体に投与される、
前記タグ付きタンパク質に結合し、がん細胞死を誘導する少なくとも２つの治療的に有効なＡＴ−ＣＡＲ発現Ｔ細胞集団
を含む、抗がん剤。
【請求項３】
各々のタグ付きタンパク質の配合物のタグが同じであるか又は異なり、該タグがフルオレセインイソチオシアネート（ＦＩＴＣ）、ストレプトアビジン、ビオチン、ヒスチジン、ジニトロフェノール、ペリジニンクロロフィルタンパク質複合体、緑色蛍光タンパク質、フィコエリトリン（ＰＥ）、ホースラディッシュペルオキシダーゼ、パルミトイル化、ニトロシル化、アルカリホスファターゼ、グルコースオキシダーゼ及びマルトース結合タンパク質からなる群から選択される、請求項１又は２に記載の抗がん剤。
【請求項４】
各々のタグ付きタンパク質の配合物のタンパク質が同じであるか又は異なり、該タンパク質が抗体又はその抗原結合フラグメントである、請求項１〜３のいずれか一項に記載の抗がん剤。
【請求項５】
前記抗体又はその抗原結合フラグメントが、セツキシマブ、ニモツズマブ、パニツムマブ、リツキシマブ、オマリズマブ、トシツモマブ、トラスツズマブ、ゲムツズマブ、アレムツズマブ、ベバシズマブ、又はそのいずれかの抗原結合フラグメントである、請求項４に記載の抗がん剤。
【請求項６】
各々のＡＴ−ＣＡＲ発現Ｔ細胞集団のＡＴ−ＣＡＲが同じであるか又は異なり、該ＡＴ−ＣＡＲがタグ結合ドメイン、膜貫通ドメイン及び活性化ドメインを含む、請求項１〜５のいずれか一項に記載の抗がん剤。
【請求項７】
前記タグ結合ドメインが抗体又はその抗原結合フラグメントである、請求項６に記載の抗がん剤。
【請求項８】
前記タグ結合ドメインがＦＩＴＣ、ビオチン、ＰＥ、ヒスチジン又はストレプトアビジンに特異的に結合する、請求項６に記載の抗がん剤。
【請求項９】
前記抗原結合フラグメントが一本鎖可変フラグメント（ｓｃＦｖ）である、請求項７に記載の抗がん剤。
【請求項１０】
前記抗原結合フラグメントが、ＦＩＴＣ、ビオチン、ＰＥ、ヒスチジン又はストレプトアビジンに特異的に結合する一本鎖可変フラグメント（ｓｃＦｖ）である、請求項７に記載の抗がん剤。
【請求項１１】
前記膜貫通ドメインがヒトＣＤ８α鎖のヒンジ領域及び膜貫通領域である、請求項６に記載の抗がん剤。
【請求項１２】
前記活性化ドメインがＣＤ２８の細胞質領域、ＣＤ１３７（４１ＢＢ）の細胞質領域、ＯＸ４０、ＨＶＥＭ、ＣＤ３ζ及びＦｃＲεのうち１つ又は複数を含む、請求項６に記載の抗がん剤。
【請求項１３】
各々のＡＴ−ＣＡＲ発現Ｔ細胞集団のＴ細胞が同じであるか又は異なり、該Ｔ細胞が、末梢血単核細胞（ＰＢＭＣ）に由来する任意のＨＬＡバックグラウンドのＴ細胞、前記被験体の腫瘍移植片から単離されたＴ細胞、及び前記被験体の腫瘍内Ｔ細胞からなる群から選択される、請求項１〜１２のいずれか一項に記載の抗がん剤。
【請求項１４】
各々のＡＴ−ＣＡＲ発現Ｔ細胞集団のＴ細胞が、ＨＬＡ−Ａ２＋末梢血単核細胞（ＰＢＭＣ）からなる、請求項１〜１２のいずれか一項に記載の抗がん剤。
【請求項１５】
前記タグ付きタンパク質の配合物（単数又は複数）が、前記治療的に有効なＡＴ−ＣＡＲ発現Ｔ細胞集団（単数又は複数）の投与の前に前記被験体に投与される、請求項１〜１４のいずれか一項に記載の抗がん剤。
【請求項１６】
前記タグ付きタンパク質の配合物（単数又は複数）が、前記治療的に有効なＡＴ−ＣＡＲ発現Ｔ細胞集団（単数又は複数）の投与の後に前記被験体に投与される、請求項１〜１４のいずれか一項に記載の抗がん剤。
【請求項１７】
前記タグ付きタンパク質の配合物（単数又は複数）及び前記治療的に有効なＡＴ−ＣＡＲ発現Ｔ細胞集団（単数又は複数）が、任意の順序で前記被験体に投与される、請求項１〜１４のいずれか一項に記載の抗がん剤。
【請求項１８】
前記タグ付きタンパク質に結合するＡＴ−ＣＡＲ発現Ｔ細胞が、細胞傷害性Ｔ細胞活性化を誘導する、請求項１〜１７のいずれか一項に記載の抗がん剤。
【請求項１９】
前記被験体がヒトである、請求項１〜１８のいずれか一項に記載の抗がん剤。
【手続補正書】
【提出日】平成26年8月8日(2014.8.8)
【手続補正１】
【補正対象書類名】特許請求の範囲
【補正対象項目名】全文
【補正方法】変更
【補正の内容】
【特許請求の範囲】
【請求項１】
リヨセル繊維を含む少なくとも１つの繊維性不織布層を含み、架橋されたバインダー、研磨粒子、及び潤滑剤を含む硬化した付着性コーティングを有する、内蔵型繊維性バフ研磨物品。
【手続補正書】
【提出日】平成26年6月9日(2014.6.9)
【手続補正１】
【補正対象書類名】特許請求の範囲
【補正対象項目名】全文
【補正方法】変更
【補正の内容】
【特許請求の範囲】
【請求項１】
画像鮮明度の度量を示すためにフォーカス信号をシーンの画像の複数のエッジから生成する方法において、
それぞれ第１の値および第２の値を見つけるために、コンピューティングデバイスにおいて、前記画像から検出されたエッジで第１及び第２の度量を評価するステップと、
を含み、
前記第１及び第２の度量の使用によって、前記フォーカス信号を寄与する他のエッジと比較して前記エッジが前記フォーカス信号のための寄与の中である相対的な程度を減らすために判定するステップと、
任意のエッジ  の前記第１及び第２の度量は、それぞれ少なくとも２つの画像データサンプル差分に依存する量であり、
各画像データサンプル差分は、画像データの１対のサンプルの間の差であり、
前記サンプルは、前記任意のエッジを亘る画像データサンプルのシーケンスからである方法。  
【請求項２】
前記第１の度量を評価するステップは、別のエッジを検出することに依存しない  
ことを特徴とする請求項１に記載の方法。  
【請求項３】
前記シーンの照明の２０％の減少は、前記エッジを省略するか前記フォーカス信号にの寄与を許可するかを決めない
ことを特徴とする請求項１または２に記載の方法。  
【請求項４】
前記判定するステップは、前記相対的な程度を決定するために、前記第１の値が、前記第２の値に依存する所定の判断基準を満たしているか否かを判定する
ことを特徴とする請求項１〜３のいずれか一項に記載の方法。  
【請求項５】
前記エッジが前記所定の判断基準を満たしていない場合、前記フォーカス信号の生成のステップにおいて前記エッジを省略するまたは脱強調するステップ
をさらに含む
ことを特徴とする請求項４において記載した方法。
【誤訳訂正書】
【提出日】平成26年9月8日(2014.9.8)
【誤訳訂正１】
【訂正対象書類名】明細書
【訂正対象項目名】００２８
【訂正方法】変更
【訂正の内容】
【００２８】
図５は金属セクターの構造的な形状に対する電磁気解析データを示す図であり、（ａ）は本発明による金属セクター、（ｂ）は従来技術による金属セクターである。
図５の（ａ）において、本発明による金属セクターの外側にシリンダー状の冷却チューブ、Ｃｕ誘導コイルが配置され、金属セクターの内側にはガラスと、誘導電流によってガラスに溶融熱を提供するチタンリングがあると仮定して解析した。図５（ｂ）は従来技術による金属セクターであり、図５（ａ）と同一条件であるが、一つの金属セクター内に二つの冷却流路が形成された金属セクターの構造に対する解析結果である。
【誤訳訂正２】
【訂正対象書類名】明細書
【訂正対象項目名】００２９
【訂正方法】変更
【訂正の内容】
【００２９】
以下の表１は、解析結果から得たモデル別電流分布の割合（％）を定量的に示すもので、本発明によるセクターの構造は従来技術に比べてガラスに伝達される誘導電流の割合が高いことを確認することができる。
【手続補正書】
【提出日】平成26年10月24日(2014.10.24)
【手続補正１】
【補正対象書類名】特許請求の範囲
【補正対象項目名】請求項１２
【補正方法】変更
【補正の内容】
【請求項１２】
前記金属基材上の前記前処理皮膜中におけるＺｒの原子％に対するＣｕの原子％の平均合計比が、０．９から０．０２である、請求項１１に記載の製造品。
【手続補正２】
【補正対象書類名】特許請求の範囲
【補正対象項目名】請求項１３
【補正方法】変更
【補正の内容】
【請求項１３】
前記前処理皮膜の外側表面から前記金属基材までの一連の深さにて測定された前記前処理皮膜中のＣｕの原子％が、前記深さのいずれにおいても３３原子％を超えない、請求項１１又は１２に記載の製造品。
【手続補正３】
【補正対象書類名】明細書
【補正対象項目名】００１９
【補正方法】変更
【補正の内容】
【００１９】
１つの実施形態では、金属基材上の前処理皮膜におけるＺｒの原子％に対するＣｕの原子％の平均合計比が０．９から０．０２である製造品が提供される。
【手続補正書】
【提出日】平成26年10月22日(2014.10.22)
【手続補正１】
【補正対象書類名】特許請求の範囲
【補正対象項目名】全文
【補正方法】変更
【補正の内容】
【特許請求の範囲】
【請求項１】
イオン伝導性ポリマーの製造方法であって、
電解質とポリマー前駆体とを含む混合物を提供する工程と、
前記混合物に電場を印加している間に前記ポリマー前駆体を重合させる工程と、
を含むことを特徴とする方法。
【請求項２】
前記ポリマー前駆体がエポキシ樹脂を含むことを特徴とする、請求項１に記載の方法。
【請求項３】
前記イオン伝導性ポリマーが、少なくともおよそ１０−５Ｓ／ｃｍの伝導率と、前記ポリマー前駆体を重合させる間に電場を印加せずに作製されたイオン伝導性ポリマーが有する圧縮剛性よりも高い圧縮剛性と、を有することを特徴とする、請求項１に記載の方法。
【請求項４】
前記混合物に電場を印加することが、前記混合物に交流を印加することを含むことを特徴とする、請求項１に記載の方法。
【請求項５】
電気デバイスを製造する方法であって、
第１の電極層と、第２の電極層と、イオン透過性を有しかつ前記第１の電極層及び前記第２の電極層の間に配置されたセパレータ材料層とを備える層状構造を提供する工程と、
電解質とポリマー前駆体とを含む混合物を提供する工程と、
前記層状構造に前記混合物を浸透させる工程と、
前記混合物に電場を印加している間に前記ポリマー前駆体を重合させる工程と、
を含むことを特徴とする方法。
【請求項６】
前記第１の電極層と前記第２の電極層とのうちの少なくとも１つが、カーボンナノチューブ導入繊維材料を含むことを特徴とする、請求項５に記載の方法。
【請求項７】
前記ポリマー前駆体がエポキシ樹脂を含むことを特徴とする、請求項５に記載の方法。
【請求項８】
前記混合物に電場を印加する工程が、前記混合物に交流を印加する工程を含むことを特徴とする、請求項５に記載の方法。
【請求項９】
請求項１に記載の方法によって製造されたイオン伝導性ポリマーであって、少なくともおよそ１０−５Ｓ／ｃｍの伝導率を有することを特徴とする、イオン伝導性ポリマー。
【請求項１０】
電解質が、前記イオン伝導性ポリマー内の伝導性イオンチャネル内に存在することを特徴とする、請求項９に記載のイオン伝導性ポリマー。
【請求項１１】
前記ポリマー前駆体がエポキシ樹脂を含むことを特徴とする、請求項９に記載のイオン伝導性ポリマー。
【請求項１２】
前記混合物がさらに充填材を含むことを特徴とする、請求項９に記載のイオン伝導性ポリマー。
【請求項１３】
前記イオン伝導性ポリマーが、前記ポリマー前駆体を重合させる間に電場を印加せずに作製されたイオン伝導性ポリマーが有する圧縮剛性よりも高い圧縮剛性を有することを特徴とする、請求項９に記載のイオン伝導性ポリマー。
【請求項１４】
請求項９に記載のイオン伝導性ポリマーを含むことを特徴とする電気デバイス。
【請求項１５】
第１の電極層と、第２の電極層と、イオン透過性を有しかつ前記第１の電極層及び前記第２の電極層の間に配置されたセパレータ材料層とを備える層状構造と、
前記層状構造に浸透しているイオン伝導性ポリマーと、を備え、
前記イオン伝導性ポリマーは、電解質と、電場の存在下で重合されたポリマーマトリックスと、を備える
ことを特徴とする、電気デバイス。
【請求項１６】
前記第１の電極層と前記第２の電極層とのうちの少なくとも１つが、カーボンナノチューブ導入繊維材料を含むことを特徴とする、請求項１５に記載の電気デバイス。
【請求項１７】
前記ポリマーマトリックスがエポキシ樹脂を含むことを特徴とする、請求項１５に記載の電気デバイス。
【手続補正書】
【提出日】平成26年11月6日(2014.11.6)
【手続補正１】
【補正対象書類名】特許請求の範囲
【補正対象項目名】全文
【補正方法】変更
【補正の内容】
【特許請求の範囲】
【請求項１】
６μｍ以上の平均粒子径分布ｄ５０を持ち、組成式が（Ｂａ１−ｘ−ｙ−ｚＳｒｘＣａｙＥｕｚ）２Ｓｉ５−ａ−ｂＡｌａＮ８−ａ−４ｂＯａ＋４ｂで表される材料であって、０．３≦ｘ≦０．９、０．０１≦ｙ≦０．０４、０．００５≦ｚ≦０．０４、０≦ａ≦０．２、且つ、０≦ｂ≦０．２である、材料。
【請求項２】
０．０２≦ｙ≦０．０４である、請求項１記載の材料。
【請求項３】
０．３５≦ｘ≦０．８である、請求項１又は２に記載の材料。
【請求項４】
０＜ｂ≦０．２である、請求項１乃至３のいずれか１項に記載の材料。
【請求項５】
平均粒子径を大きくするための、窒化ケイ素材料におけるカルシウムの使用であって、
前記材料が、Ｍ２Ｓｉ５−ａ−ｂＡｌａＮ８−ａ−４ｂＯ４ａ＋ｂの構造を持ち、
Ｍは、二価の金属イオンであり、
０≦ａ≦２、且つ、０≦ｂ≦２である、窒化ケイ素材料におけるカルシウムの使用。
【請求項６】
請求項１乃至４のいずれか１項に記載の材料のための、請求項５記載の使用。
【請求項７】
請求項１乃至４のいずれか１項に記載の材料を有する、発光構造体。
【請求項８】
請求項１乃至４のいずれか１項に記載の材料を有する、及び／又は、請求項５又は６に記載の使用を用いる、及び／又は、請求項７記載の発光構造体を有する、システムであって、前記システムは、以下のアプリケーション、
オフィス照明システム、
家庭用アプリケーションシステム、
店舗照明システム、
家庭照明システム、
アクセント照明システム、
スポット照明システム、
シアター照明システム、
光ファイバーアプリケーションシステム、
投射システム、
自己照明ディスプレイシステム、
ピクセル化されたディスプレイシステム、
セグメント化されたディスプレイシステム、
警告標識システム、
医療用照明アプリケーションシステム、
標識システム、
装飾用照明システム、
携帯システム、
自動車用アプリケーション、
温室照明システム
のうち、１又は複数において使用される、システム。
【手続補正書】
【提出日】平成26年11月6日(2014.11.6)
【手続補正１】
【補正対象書類名】特許請求の範囲
【補正対象項目名】全文
【補正方法】変更
【補正の内容】
【特許請求の範囲】
【請求項１】
活性ヒドロキシル基及び脂肪族イソシアネートを含有するポリビニルポリマーから誘導されるウレタンポリマーを含む剥離剤と、
担体ポリマーであって、前記担体ポリマーの５０重量％超が非オレフィン性である、担体ポリマーと、
を含むブレンドを含む、剥離材料。
【請求項２】
（ｉ）活性ヒドロキシル基及び脂肪族イソシアネートを含有するポリビニルポリマーから誘導されるウレタンポリマーを含む剥離剤、及び、（ｉｉ）担体ポリマーであって、前記担体ポリマーの５０重量％超が非オレフィン性である担体ポリマー、を含むブレンドを含む剥離コーティングと、
前記剥離コーティングの少なくとも１つの主表面と密接している接着剤と、
を含む、物品。
【請求項３】
（ｉ）活性ヒドロキシル基及び脂肪族イソシアネートを含有するポリビニルポリマーから誘導されるウレタンポリマー、及び、（ｉｉ）担体ポリマーであって、前記担体ポリマーの５０重量％超が非オレフィン性である担体ポリマー、を含む組成物をブレンドすることと、
ブレンドを押出成形又は鋳造して、シートを形成することと、
所望により、前記シートを加熱することと、
前記シート上に接着剤を塗布して、接着性物品を形成することと、
を含む、接着性物品を作製する方法。
【手続補正書】
【提出日】平成26年9月30日(2014.9.30)
【手続補正１】
【補正対象書類名】特許請求の範囲
【補正対象項目名】全文
【補正方法】変更
【補正の内容】
【特許請求の範囲】
【請求項１】
ウェブ対応アプリケーションのトラフィックを分析するための、コンピュータに実装される方法において、
レンダリングと対話する前に複数の人々の各々に精神状態を回収する許可についての一般的な質問を行うステップと、
複数の人々がレンダリングと対話した際に前記複数の人々のうち許可をした者のみから精神状態データを収集するステップと、
前記収集した精神状態データに基づく情報をサーバにアップロードするステップと、
前記複数の人々がレンダリングと対話した後に、当該複数の人々のうち許可をしたものから確認許可を求めるステップと、
前記レンダリングと対話した前記複数の人々のうち確認許可を行った者のみに基づいて集約された精神状態情報を受け取るステップと、
前記集約された精神状態情報を前記レンダリングとともに表示するステップと、
を含むことを特徴とする方法。
【請求項２】
請求項１に記載の方法において、前記集約された精神状態情報は、前記複数の人々から導出されたノルムを含むことを特徴とする方法。
【請求項３】
請求項２に記載の方法において、前記ノルムはコンテキスト情報に基づくことを特徴とする方法。
【請求項４】
請求項１に記載の方法において、前記集約された精神状態情報を前記レンダリングと関連付けるステップをさらに含むことを特徴とする方法。
【請求項５】
請求項１に記載の方法において、精神状態データを収集する前記ステップは、生理的データおよび顔データからなる群のうちの１つを捕捉することを伴うことを特徴とする方法。
【請求項６】
請求項５に記載の方法において、ウェブカメラを用いて、前記顔データおよび前記生理的データの１つ以上を捕捉することを特徴とする方法。
【請求項７】
請求項６に記載の方法において、前記生理的データを用いて自律神経活動を特定することを特徴とする方法。
【請求項８】
請求項７に記載の方法において、前記自律神経活動は、心拍数、呼吸、および心拍数変動からなる群のうちの１つであることを特徴とする方法。
【請求項９】
請求項５に記載の方法において、前記顔データは、顔の表情、活動単位、頭部ジェスチャ、笑み、眉間のしわ、横目、伏し目、眉を上げること、および注目からなる群のうちの１つ以上についての情報を含むことを特徴とする方法。
【請求項１０】
請求項１に記載の方法において、目を追跡して、対話が行われているレンダリングを識別するステップをさらに含むことを特徴とする方法。
【請求項１１】
請求項１０に記載の方法において、前記目を追跡する前記ステップによって、前記目がフォーカスされている、前記レンダリングの一部分が識別されることを特徴とする方法。
【請求項１２】
請求項１０に記載の方法において、前記レンダリングに対して目が一時停止する時間を記録するステップと、目が一時停止する前記時間の情報を前記レンダリングおよび前記精神状態データと関連付けるステップと、をさらに含むことを特徴とする方法。
【請求項１３】
請求項１に記載の方法において、精神状態情報がデモグラフィックベースに基づいて分類されるように、前記集約された精神状態情報の集約が前記デモグラフィックベースで行われることを特徴とする方法。
【請求項１４】
請求項１に記載の方法において、前記集約された精神状態情報および前記複数の人々のうちの一個人に関する精神状態情報のうちの１つ以上についての視覚的表現を作成するステップをさらに含むことを特徴とする方法。
【請求項１５】
請求項１に記載の方法において、前記複数の人々から収集された前記精神状態データに基づいて精神状態を推論するステップをさらに含むことを特徴とする方法。
【請求項１６】
ウェブ対応アプリケーションのトラフィックを分析するための、コンピュータ可読媒体の形で具体化されるコンピュータプログラム製品であって、
レンダリングと対話する前に、複数の人々のうちの各人に対して精神状態を収集する許可に関する一般的な質問を行うコードと、
複数の人々がレンダリングと対話した際に前記複数の人々のうちの許可を行った者のみから精神状態データを収集するステップのコードと、
前記収集した精神状態データに基づく情報をサーバにアップロードするステップのコードと、
前記複数の人々がレンダリングと対話した後に、当該複数の人々のうちの許可を行ったものから確認許可を求めるコードと、
前記レンダリングと対話した前記複数の人々のうちの許可を行った者のみに基づいて集約された精神状態情報を受け取るステップのコードと、
前記集約された精神状態情報を前記レンダリングとともに表示するステップのコードと、
を含むことを特徴とするコンピュータプログラム製品。
【請求項１７】
ウェブ対応アプリケーションのトラフィック状態を分析するシステムにおいて、
命令を記憶するメモリと、
前記メモリに接続された１つ以上のプロセッサと、を備え、前記１つ以上のプロセッサは、記憶されている前記命令の実行時に、
レンダリングと対話する前に、複数の人々のうちの各人に対して精神状態を収集する許可に関する一般的な質問を行うステップと、
複数の人々がレンダリングと対話した際に前記複数の人々のうちの許可を行った者のみから精神状態データを収集するステップと、
前記回収した精神状態データに基づく情報をサーバにアップロードするステップと、
前記複数の人々がレンダリングと対話した後に、当該複数の人々のうちの許可を行ったものから確認許可を求めるステップと、
前記レンダリングと対話した前記複数の人々のうちの許可を行った者のみに基づいて集約された精神状態情報を受け取るステップと、
前記集約された精神状態情報を前記レンダリングとともに表示するステップと、
を実施するように構成されていることを特徴とするシステム。
【手続補正書】
【提出日】平成26年11月5日(2014.11.5)
【手続補正１】
【補正対象書類名】特許請求の範囲
【補正対象項目名】全文
【補正方法】変更
【補正の内容】
【特許請求の範囲】
【請求項１】
無線メッシュネットワーク内のデータパケット伝送を制御するためのシステムであって、
少なくとも１つのコレクタノードと、
複数のノードと、
を含み、
前記コレクタノードにアドレス指定されたアップリンクデータパケットを受け取るノード及び／又は前記コレクタノードが、少なくとも送信元ノード情報及び伝送ノード情報を逆ルート情報として所定の時間にわたって記憶し、
前記逆ルート情報がノードに記憶される前記所定の時間は、前記ノードの前記コレクタノードまでの距離に依存する、
システム。
【請求項２】
ダウンリンクデータパケットが、前記逆ルート情報を用いて前記アップリンクデータパケットのルートの逆により、前記コレクタノードから送信元ノードに伝送される、請求項１に記載のシステム。
【請求項３】
送信元ノードからのアップリンクデータパケットを予期する場合、前記アップリンクデータパケットが受け取られるまで、前記コレクタノードは、前記送信元ノードへのダウンリンクデータパケットの伝送を遅らせる、請求項１又は２に記載のシステム。
【請求項４】
ダウンリンクデータパケットを受け取るノードが、前記逆ルート情報の可用性に基づいて前記ダウンリンクデータパケットを転送するための伝送モードを選択する、請求項１又は２に記載のシステム。
【請求項５】
前記アップリンクデータパケットが、前記逆ルート情報が記憶されるべきかどうかを示し、及び／又は前記逆ルート情報が記憶されるべき前記所定の時間を示すデータフィールドを含む、請求項１又は２に記載のシステム。
【請求項６】
送信元ノードに転送され、消去情報を含むダウンリンクデータパケットを受け取るまで、ノードが、前記逆ルート情報を記憶する、請求項１又は２に記載のシステム。
【請求項７】
ダウンリンクデータパケットと前記アップリンクデータパケットの肯定応答とが１つのデータパケットとして送信元ノードに伝送されるか、又はダウンリンクデータパケットが、前記アップリンクデータパケットの肯定応答を伝送する前に又はその後に所定の期間内に分けて伝送される、請求項１又は２に記載のシステム。
【請求項８】
前記コレクタノードが、１つ又は複数のノードにトリガメッセージをブロードキャストし、及び／又はマルチキャストする、請求項１又は２に記載のシステム。
【請求項９】
前記トリガメッセージを受け取ったノードが、前記コレクタノードにデータ要求を送るために、前記トリガメッセージ内で指定された期間内のタイムスロットをランダムに選択する、請求項８に記載のシステム。
【請求項１０】
前記トリガメッセージは、それぞれが異なるノードアドレスを含むいくつかのサブバッチに分けられ、前記サブバッチが逐次的に処理される、請求項８に記載のシステム。
【請求項１１】
前記ノード及び／又はコレクタノードの少なくとも一部が照明システムの照明に関連する、請求項１又は２に記載のシステム。
【請求項１２】
前記システムが、照明ノードをオン／オフにするために、照明ノードの調光パターンを制御するために、並びに／又はセンサデータ及び／若しくは照明状態データを報告するために、照明システムのテレマネージメントで使用される、請求項１１に記載のシステム。
【請求項１３】
無線メッシュネットワークのノードのための装置であって、前記無線メッシュネットワークは複数のノード及び少なくとも１つのコレクタノードを含み、前記コレクタノードに宛てられたアップリンクデータパケットが受け取られた後、前記装置が少なくとも送信元ノード情報及び伝送ノード情報を逆ルート情報として所定の時間にわたって記憶し、
前記逆ルート情報がノードのための前記装置に記憶される前記所定の時間は、前記ノードの前記コレクタノードまでの距離に依存する、
装置。
【請求項１４】
少なくとも１つのコレクタノード及び複数のノードを含む無線メッシュネットワーク内のデータパケット伝送を制御するための方法であって、
前記コレクタノードにアドレス指定されたアップリンクデータパケットをノード又は前記コレクタノードにおいて受け取るステップと、
少なくとも送信元ノード情報及び伝送ノード情報を逆ルート情報として所定の時間にわたって記憶するステップと、
を含み、
前記逆ルート情報がノードに記憶される前記所定の時間は、前記ノードの前記コレクタノードまでの距離に依存する、
方法。
【手続補正書】
【提出日】平成26年10月30日(2014.10.30)
【手続補正１】
【補正対象書類名】特許請求の範囲
【補正対象項目名】全文
【補正方法】変更
【補正の内容】
【特許請求の範囲】
【請求項１】
ユーザーインターフェースを介して、コンピューティングデバイスと関連付けられた１つまたは複数のディスプレイ上の没入型環境内の並行提示のためのアプリケーションの選択を可能にするステップと、
選択に応答して、前記選択されたアプリケーションの内容を、前記没入型環境内で、前記没入型環境内に同様に提示された異なるアプリケーションの内容の提示と並行して、提示させるステップであって、前記没入型環境は、ウィンドウフレームをほとんどまたは全く有さず、前記選択されたアプリケーションおよび前記異なるアプリケーションとの対話を可能にする、ステップと
を含む、コンピューターにより実施される方法。
【請求項２】
前記ユーザーインターフェースの選択を可能にするステップと、前記ユーザーインターフェースの選択に応答して、アプリケーションの選択を可能にするステップに先立って、前記ユーザーインターフェースを表示するステップとをさらに含む、請求項１に記載のコンピューターにより実施される方法。
【請求項３】
前記ユーザーインターフェースの選択を可能にするステップが、非視覚的セレクターで選択を可能にするステップを含む、請求項２に記載のコンピューターにより実施される方法。
【請求項４】
アプリケーションの選択を可能にするステップが、複数の異なるアプリケーションの選択を可能にし、複数の異なるアプリケーションの選択を可能にするステップが、前記複数の異なるアプリケーションが最近使用されたこと、頻繁に使用されたこと、または前記ユーザーインターフェースにおいて保持されるように選択されたことに基づく、請求項１に記載のコンピューターにより実施される方法。
【請求項５】
アプリケーションの選択を可能にするステップが、複数の異なるアプリケーションの選択を可能にし、複数の異なるアプリケーションの選択を可能にするステップが、前記複数の異なるアプリケーションの各々について選択可能なラベルを表示するステップを含む、請求項１に記載のコンピューターにより実施される方法。
【請求項６】
アプリケーションの選択を可能にするステップが、複数の異なるアプリケーションの選択を可能にし、前記複数の異なるアプリケーションのうちの１つまたは複数が最近使用されていないことに応答して、前記複数の異なるアプリケーションのうちの１つまたは複数を前記ユーザーインターフェースから自動的に取り除くステップをさらに含む、請求項１に記載のコンピューターにより実施される方法。
【請求項７】
アプリケーションの選択を可能にするステップが、複数の異なるアプリケーションの選択を可能にし、前記複数の異なるアプリケーションのうちの１つまたは複数が頻繁に使用されていないことに応答して、前記複数の異なるアプリケーションのうちの１つまたは複数を自動的に取り除くステップをさらに含む、請求項１に記載のコンピューターにより実施される方法。
【請求項８】
前記選択されたアプリケーションの内容を提示させるステップに先立って、ユーザー選択または対話なしで前記没入型環境内に前記異なるアプリケーションの前記内容を提示するステップをさらに含む、請求項１に記載のコンピューターにより実施される方法。
【請求項９】
ユーザー選択または対話なしで前記異なるアプリケーションの前記内容を提示するステップは、前記異なるアプリケーションが保持されるアプリケーションとして設定されることに基づく、請求項８に記載のコンピューターにより実施される方法。
【請求項１０】
実行可能な命令を用いて構成された１つまたは複数のプロセッサの制御下で、
没入型環境が管理されるユーザーインターフェースにおけるアプリケーションの選択を可能にするステップと、
選択に応答して、前記ユーザーインターフェースにおいて前記選択されたアプリケーションのラベルを保持するステップと、前記没入型環境において前記選択されたアプリケーションの内容の提示を保持するステップと
を含む、コンピューターにより実施される方法。
【請求項１１】
前記選択されたアプリケーションの前記内容の提示は、１つまたは複数の他の異なるアプリケーションの内容と並行である、請求項１０に記載のコンピューターにより実施される方法。
【請求項１２】
前記ユーザーインターフェースは異なるアプリケーションの内容を提示する選択を可能にし、前記方法は、前記異なるアプリケーションの選択に応答して、前記選択された異なるアプリケーションの内容を、前記選択されたアプリケーションの内容が提示される領域に提示するステップと、前記選択されたアプリケーションの内容を前記没入型環境の新しい領域に移動させるステップとをさらに含む、請求項１０に記載のコンピューターにより実施される方法。
【請求項１３】
前記選択されたアプリケーションを実行するステップをさらに含む、請求項１０に記載のコンピューターにより実施される方法。
【請求項１４】
実行可能な命令を用いて構成された１つまたは複数のプロセッサの制御下で、
アプリケーション、
前記アプリケーションの内容を提示するサイズ、および、
前記アプリケーションの前記内容を提示する位置
の選択を、単一のユーザーインターフェースを介して、可能にするステップと、
選択に応答して、没入型環境内に、前記選択されたサイズで、前記選択された位置に、前記選択されたアプリケーションの前記内容を提示させるステップと
を含む、コンピューターにより実施される方法。
【請求項１５】
前記アプリケーション、前記内容の前記サイズ、および前記内容の前記位置の前記選択が、単一の選択のみを含む、請求項１４に記載のコンピューターにより実施される方法。
【請求項１６】
前記単一の選択が、前記単一のユーザーインターフェースから前記サイズおよび前記位置を有するディスプレイのエリアへの前記アプリケーションと関連付けられたラベル、または、前記ディスプレイの異なるエリアから前記サイズおよび位置を有する前記ディスプレイの前記エリアへの前記アプリケーションの表示のドラッグアンドドロップである、請求項１５に記載のコンピューターにより実施される方法。
【請求項１７】
前記没入型環境内に前記選択されたアプリケーションの内容を提示させるステップは、前記内容を、前記没入型環境において別のアプリケーションの他の内容の提示と並行に提示する、請求項１４に記載のコンピューターにより実施される方法。
【請求項１８】
前記没入型環境は、前記選択されたアプリケーションの前記内容を第１の領域に提示し、前記異なるアプリケーションの前記内容を第２の領域に提示し、前記第１の領域及び前記第２の領域は前記選択に基づいて決定される、請求項１に記載のコンピューターにより実施される方法。
【請求項１９】
前記選択されたアプリケーションが前記没入型環境に提示されることに応答して、前記異なるアプリケーションを前記没入型環境の別の部分に移動させるステップをさらに含む、請求項１に記載のコンピューターにより実施される方法。
【請求項２０】
前記異なるアプリケーションを前記没入型環境の別の部分に移動させるステップは、前記異なるアプリケーションを保持するための前記ユーザーインターフェースを介した選択に基づく、請求項１９に記載のコンピューターにより実施される方法。
【手続補正書】
【提出日】平成26年10月8日(2014.10.8)
【手続補正１】
【補正対象書類名】特許請求の範囲
【補正対象項目名】全文
【補正方法】変更
【補正の内容】
【特許請求の範囲】
【請求項１】
温度安定性の遷移金属酸化物層を不活性金属表面上に固定するための接着促進剤としてのアンモニウムチオ−遷移金属錯体の使用。
【請求項２】
前記アンモニウムチオ−遷移金属錯体が、モリブデン、タングステンおよびバナジウムから選択される遷移金属を含む、請求項１に記載の使用。
【請求項３】
前記アンモニウムチオ−遷移金属錯体が、テトラチオ−遷移金属錯体である、請求項１または２に記載の使用。
【請求項４】
前記アンモニウムテトラチオ−遷移金属錯体は、テトラチオモリブデン酸アンモニウムである、請求項３に記載の使用。
【請求項５】
遷移金属酸化物が、ＭｏＯ３、ＷＯ３またはＶ２Ｏ５である、請求項１〜４のいずれか一項に記載の使用。
【請求項６】
遷移金属酸化物の前駆体が、溶液系プロセスによって不活性金属表面上に堆積する、請求項１〜５のいずれか一項に記載の使用。
【請求項７】
前記前駆体が、水中の遷移金属酸化物、遷移金属酸化物の水和物、酸性遷移金属酸化物の水和物のアンモニウム塩、またはリン酸−遷移金属酸化物錯体、または極性有機溶媒に溶解したリン酸−遷移金属酸化物錯体の分散物または溶液である、請求項６に記載の使用。
【請求項８】
堆積する前記遷移金属酸化物がＭｏＯ３であり、前駆体が、水中の三酸化モリブデン、モリブデン酸、モリブデン酸アンモニウムまたはリンモリブデン酸、または極性有機溶媒に溶解したリンモリブデン酸の分散物または溶液である、請求項７に記載の使用。
【請求項９】
堆積する前記遷移金属酸化物がＷＯ３であり、前駆体が、水中の三酸化タングステン、タングステン酸、タングステン酸アンモニウムまたはリンタングステン酸、または極性有機溶媒に溶解したリンタングステン酸の分散物または溶液である、請求項７に記載の使用。
【請求項１０】
堆積する前記遷移金属酸化物がＶ２Ｏ５であり、前駆体が、極性有機溶媒に溶解した酸化バナジウム（Ｖ）、メタバナジン酸アンモニウム、バナジウム（Ｖ）オキシトリエトキシド、バナジウム（Ｖ）オキシトリエトキシド、バナジウム（Ｖ）オキシトリイソプロポキシドまたはバナジウム（Ｖ）オキシトリプロポキシド分散物または溶液である、請求項７に記載の使用。
【請求項１１】
前記溶液系プロセスが、スピンコーティング、浸漬コーティングまたはインクジェット印刷からなる、請求項６〜１０のいずれか一項に記載の使用。
【請求項１２】
前記不活性金属が、銀、金または銅である、請求項１〜１１のいずれか一項に記載の使用。
【請求項１３】
前記不活性金属が金である、請求項１２に記載の使用。
【請求項１４】
アンモニウムチオ−遷移金属錯体の上に固定された前記遷移金属酸化物層が、少なくとも１４０℃の温度まで安定である、請求項１〜１３のいずれか一項に記載の使用。
【請求項１５】
不活性金属表面の上に遷移金属酸化物を作成するためのプロセスであって、
（ａ）金属表面をアンモニウムチオ−遷移金属錯体で前処理することと；
（ｂ）前処理した表面の上に、遷移金属酸化物前駆体を含む溶液を堆積させることと；
（ｃ）堆積した溶液をアニーリングし、遷移金属酸化物層を作成することとを含む、プロセス。
【請求項１６】
工程（ａ）が、
（ｉ）金属表面を洗浄し、有機汚染物質を除去することと；
（ｉｉ）金属表面上にアンモニウムチオ−遷移金属錯体を堆積させることと；
（ｉｉｉ）処理した表面を空気中でアニーリングすることとを含む、請求項１５に記載のプロセス。
【請求項１７】
前記金属表面をＵＶ−オゾン処理または酸素プラズマ処理によって洗浄する、請求項１６に記載のプロセス。
【請求項１８】
前記溶液系堆積は、スピンコーティング、浸漬コーティングまたはインクジェット印刷によって行なわれる、請求項１５〜１７のいずれか一項に記載のプロセス。
【請求項１９】
ソース電極およびドレイン電極と、ゲート電極および有機半導体層とを備え、ソース電極およびドレイン電極は、不活性金属を含み、その表面で、アンモニウムチオ−遷移金属錯体を接着促進剤として使用することによって、温度安定性の遷移金属酸化物層が固定される、有機薄膜トランジスタ。
【請求項２０】
前記遷移金属酸化物が、請求項１５〜１８のいずれか一項に定義されるプロセスにしたがって固定される、請求項１９に記載の有機薄膜トランジスタ。
【請求項２１】
前記アンモニウムチオ−遷移金属錯体が、請求項１〜４のいずれか一項に定義されるとおりである、請求項１９または２０に記載の有機薄膜トランジスタ。
【請求項２２】
前記遷移金属酸化物が、ＭｏＯ３、ＷＯ３またはＶ２Ｏ５である、請求項１９〜２１のいずれか一項に記載の有機薄膜トランジスタ。